(57)【要約】【課題】  筐体表面が傷つかない筐体吊り下げ構造を、小型に提供する。【解決手段】  壁面に取り付けられる取り付け部６ａ及びこの取り付け部６から延出する延出部２０を有する吊り下げ用基材６と、この吊り下げ用基材６の延出部２０に吊り下げられる吊り下げ部材９が設けられた筐体１とを備える筐体吊り下げ構造であり、上記吊り下げ部材９は、上記吊り下げ用基材６の延出方向に移動可能に吊り下げられ、上記吊り下げ部材９が上記吊り下げ用基材６に吊り下げられる場合に、上記移動方向に離れて上記筐体の表面及び裏面が配置されるものであり、上記筐体１の上記表面と上記裏面とからなる幅の略中央に上記吊り下げ用部材９が設けられている筐体吊り下げ構造。【選択図】  図１
2006066780.tif 000002
【特許請求の範囲】
【請求項１】
壁面に取り付けられる取り付け部及びこの取り付け部から延出する延出部を有する吊り下げ用基材と、
この吊り下げ用基材の延出部に吊り下げられる吊り下げ部材が設けられた筐体とを備える筐体吊り下げ構造であり、
上記吊り下げ部材は、上記吊り下げ用基材の延出方向に移動可能に吊り下げられ、
上記吊り下げ部材が上記吊り下げ用基材に吊り下げられる場合に、上記移動方向に離れて上記筐体の表面及び裏面が配置されるものであり、
上記筐体の上記表面と上記裏面とからなる幅の略中央に上記吊り下げ用部材が設けられていることを特徴とする筐体吊り下げ構造。
【請求項２】
吊り下げ用基材は、吊り下げ部材の移動を規制する移動規制部を有し、
吊り下げ部材は、吊り下げ用基材に移動を規制される被移動規制部を有することを特徴とする請求項１記載の筐体吊り下げ構造。
【請求項３】
移動規制部は、吊り下げ用基材の延出部の一部であって吊り下げ部材を吊り下げ可能な吊り下げ部よりも先端に設けられ、上記吊り下げ部の径よりも大きな径で形成された先端部であり、
被移動規制部は、上記吊り下げ部の径よりも大きく、上記先端部の径よりも小さな径で形成された開口の周縁であることを特徴とする請求項２記載の筐体吊り下げ構造。
【請求項４】
吊り下げ部材は、吊り下げ用基材の吊り下げ部の径よりも大きく、先端部よりも小さな径で形成された開口に連ねて、設けられた、上記先端部の径よりも大きな挿入用開口が設けられていることを特徴とする請求項３記載の筐体吊り下げ構造。
【請求項５】
先端部は、最先端に近づくにつれて径が小さくなっていることを特徴とする請求項４記載の筐体吊り下げ構造。
【請求項６】
移動規制部は、吊り下げ用基材に形成された、先端に近づくにつれて高い位置になるように上向きに形成された部分であり、
被移動規制部は、吊り下げ部材に形成された、吊り下げ用基材を収容する開口の縁であることを特徴とする請求項２記載の筐体吊り下げ構造。
【請求項７】
壁面に取り付けられる取り付け部及びこの取り付け部から延出する延出部を有する吊り下げ用基材と、
この吊り下げ用基材の延出部に吊り下げられる吊り下げ部材が設けられた筐体とを備える筐体吊り下げ構造であり、
上記吊り下げ部材は、上記吊り下げ用基材の延出方向に移動可能に吊り下げられ、
上記吊り下げ部材が上記吊り下げ用基材に吊り下げられる場合に、上記移動方向に離れて上記筐体の表面及び裏面が配置されるものであり、
上記筐体の上記表面から上記裏面までの幅の略中央となる位置よりも、上記表面側又は上記裏面側に配置できるように、上記吊り下げ用部材が上記筐体に対して移動自在に設けられていることを特徴とする筐体吊り下げ構造。
【発明の詳細な説明】
【技術分野】
【０００１】
この発明は、筐体の吊り下げ構造に関し、特に、筐体吊り下げ構造が占有する領域を削減するものに関する。
【背景技術】
【０００２】
筐体吊り下げ構造が占有する領域を削減することは、筐体周辺の領域を効率的に使用することが出来るようになるため重要である。
【０００３】
壁面に取り付けられた基材に、筐体を取り付ける構造として、特許文献１に記載されたものがある。
【０００４】
この特許文献１には、壁面にネジによって固定された、コードレス電話機の子機を保持する子機ホルダーと、この子機ホルダーに搭載された子機とを有する子機保持構造が示されている。
【０００５】
この子機保持構造を、車載用スピーカマイク等の筐体を吊り下げ用基材に吊り下げ部材を用いて吊り下げる筐体吊り下げ構造に転用すると、子機の背面に子機ホルダーが取り付けられているので、次のような筐体吊り下げ構造を導くことが可能であると考えられる。
【０００６】
その筐体吊り下げ構造で用いられる筐体は、略直方体状に形成されたものであり、この筐体の裏面に吊り下げ部材がネジ止めされている。この吊り下げ部材は、板金からなり、筐体にネジ止めされる箇所から、筐体と重ならない位置まで延出された延出部を有し、この延出部に開口が形成されているものである。また、その吊り下げ用基材は、板金からなり、壁面に取り付けられる取り付け部と、この取り付け部から延出される延出部とを有し、この延出部が、吊り下げ部材の開口に挿入可能になっているものである。
【０００７】
このような筐体吊り下げ構造であれば、吊り下げ用基材の延出部を、吊り下げ部材の開口に通し、吊り下げ用基材の延出部で吊り下げ部材の開口の内壁を支持することにより、筐体を吊り下げ用基材に着脱自在に吊り下げることができる。
【０００８】
【特許文献１】実開平３−３９９５６号の全文（図３）
【発明の開示】
【発明が解決しようとする課題】
【０００９】
しかし、特許文献１に記載された子機保持構造から転用した筐体吊り下げ構造では、吊り下げ部材が吊り下げ用基材に対して移動する方向に障害物がある場合、筐体の表裏を反転させて吊り下げ部材を吊り下げ用基材に吊り下げる時に、筐体の表面が障害物に衝突しないようにする必要がある。その結果、吊り下げ部材から筐体の厚み分前方にある部分が障害物から離れるようにするために、吊り下げ用基材の延出部が長くなったり、筐体に設けられている吊り下げ部材が長くなったりすることにより、筐体吊り下げ構造が占有する領域が大きくなるとの問題があった。
【００１０】
例えば、筐体が吊り下げ用基材から不必要にはずれないようにするため、吊り下げ用基材の延出部を屈曲して屈曲部を形成すると、この屈曲部に吊り下げ部材を吊り下げることにより、筐体が吊り下げ用基材から不必要にはずれる恐れを解消することができるが、吊り下げ用基材に吊り下げ部材を吊り下げる際に、表裏を反転した筐体の表面がその突出部に当接し、筐体表面に傷がつくおそれがある。
【００１１】
この問題を通常の手段により解消しようとすると、吊り下げ用基材の屈曲部を緩やかな角度にし、吊り下げ部材を吊り下げ用基材に近づけた際に、筐体表面が吊り下げ用基材の屈曲部に当接しないようにする必要がある。このように吊り下げ用基材の屈曲部を緩やかな角度にすると、吊り下げ用基材が手前に引き出され、吊り下げ用基材が占有する領域が拡大する。一方、吊り下げ部材の長さを長くすることによって筐体表面の傷つきを防止しようとしても、吊り下げ部材が大きくなり、筐体吊り下げ構造が占有する領域が大きくなる。
【００１２】
また、吊り下げ用基材を取り付ける壁面と筐体とが対向して配置されるような場合にも、筐体が障害物である壁面によって傷つくことを防止しようとすると、同様に、筐体吊り下げ構造が大きくなる問題がある。
【００１３】
そこで、この発明は、吊り下げ部材の吊り下げ用基材に対する移動方向に障害物がある場合に、表面又は裏面のいずれの面を手前に向けて筐体を吊り下げ用基材に吊り下げたとしても、筐体表面及び裏面が傷つかない筐体吊り下げ構造を、小型に提供することを目的にする。
【００１４】
この発明は、壁面に取り付けられる取り付け部及びこの取り付け部から延出する延出部を有する吊り下げ用基材と、この吊り下げ用基材の延出部に吊り下げられる吊り下げ部材が設けられた筐体とを備える筐体吊り下げ構造であり、上記吊り下げ部材は、上記吊り下げ用基材の延出方向に移動可能に吊り下げられ、上記吊り下げ部材が上記吊り下げ用基材に吊り下げられる場合に、上記移動方向に離れて上記筐体の表面及び裏面が配置されるものであり、上記筐体の上記表面と上記裏面とからなる幅の略中央に上記吊り下げ用部材が設けられている筐体吊り下げ構造である。
【００１５】
この発明は、吊り下げ部材の吊り下げ用基材に対する移動方向に互いに離れた上記筐体の表面と裏面とからなる幅の略中央に、上記吊り下げ部材が上記筐体に設けられているため、筐体の表面又は裏面のいずれが障害物側に向いている場合であっても、小さな吊り下げ用基材に、筐体を、傷つけることなく吊り下げることができる。
【発明を実施するための最良の形態】
【００１６】
実施の形態１．
以下、実施形態１に係る筐体吊り下げ構造を図を用いて説明する。
図１において、スピーカマイク（筐体）１は表側（表面）に表示部２と操作部３を、裏側（裏面）にスピーカ４を、上面にマイク５を備えている。そのため、スピーカマイク１の一方の面にのみ表示部２やスピーカ４といった機能部を配置する場合と比べて、筐体を小型化することができる。吊り金具（吊り下げ用基材）６は板金の曲げ加工により形成され、少なくとも壁面に固定される基面部（取り付け部）６ａと、この基面部６ａから延出する延出部２０とを有し、ネジ７、８により壁面に固定される。また、この延出部２０は、基面部６ａ最下端部から手前下方向に曲げた部分とさらに手前上方向に曲げた部分（移動規制部）２１で構成される。また掛け金具（吊り下げ部材）９はスピーカマイク１の上部より垂直に突き出た板金であり、かつスピーカマイク１の表裏の何れを前にしても同じ位置に掛けることができるようにほぼ中央に配置している。
【００１７】
図２において、掛け金具９は吊り金具通し穴９ａが開口され、ネジ１０，１１を其々ネジ通し穴９ｂ，９ｃを通した後、スピーカマイク後部１ｂのネジ穴１ｃ，１ｄに挿入して掛け金具９をスピーカマイク後部１ｂに固定し、スピーカマイク前部１ａをスピーカマイク後部１ｂにネジ止め等の既存技術を用いて固定する。なお、金具通し穴９ａの縁（被移動規制部）２２は、延出部の手前上方向に曲げた部分２１に当接して筐体１の移動が規制される。
【００１８】
図３において、吊り金具６の手前上方向に曲げた部分の長さをｂ、重力方向に対する角度をΘ２とし、掛け金具の吊り金具通し穴９ａの下端部とスピーカマイク１との距離をａとし、掛け金具９の上部を壁側にΘ１＝２０度倒し、吊り金具通し穴９ａの下端部Ｐ点を吊り金具６の手前上方向に曲げた部分の上端に接した配置とした際、吊り金具６とスピーカマイク１を接触させない為にスピーカマイク１と吊り金具６の最下端部との距離ｃ＝ａ−ｂ×ｓｉｎ（Θ１＋Θ２）が０以上となるようにしている。このΘ１＝２０度は人が手でスピーカマイクを掛ける際のスピーカマイクの重力方向に対する最小角度であり、頭上方向から腕を少し降ろして掛ける場合の角度に相当している。なお、この実施の形態では、吊り金具６の延出部の手前上方向に曲げた部分２１がアールをつけて形成されているため、その部分２１に、スピーカマイク１の表側及び裏側が衝突しない構造を、より小さな大きさで形成することができる。さらに、スピーカマイク１の端部にアールがつけられているため、吊り金具６の演出部の手前上方向に曲げた部分２１に、スピーカマイク１の表側及び裏側が衝突しない構造を、より小さな大きさで形成することができる。
【００１９】
このように構成し、掛け金具９をほぼ中央に配置し、スピーカマイクを掛ける際の倒し角度が２０度以上の場合において、スピーカマイク１と吊り金具６とが接触しないように距離ｃを確保したので、スピーカマイク１の表裏の何れを前にしても同じ位置に掛けることができ、かつスピーカマイクの傷を防止できる。
【００２０】
実施の形態２．
以下、実施形態２に係る筐体吊り下げ構造を図を用いて説明する。
図４において、スピーカマイク１は表側に表示部２と操作部３を、裏側にスピーカ４を、上面にマイク５を備えている。吊り金具６は板金の曲げ加工により形成され、少なくとも壁面に固定される基面部６ａと、延出部２０とを有し、ネジ７、８により壁面に固定される。また、延出部２０は、基面部６ａ最下端部から手前下方向に曲げた部分とさらに手前上方向に曲げた部分２１で構成される。
【００２１】
掛け金具９はスピーカマイク１の上部の背面側に吊り金具通し穴９ａを開口した掛かり部の板金を有し、かつスピーカマイク１の表裏の何れを前にしても同じ位置に掛けることができるようにスピーカマイクの中心を軸に１８０度毎に回転できるようにしている。なお、金具通し穴９ａの縁２２は、延出部の手前上方向に曲げた部分２１に当接して筐体１の移動が規制される。
【００２２】
図５において、掛け金具９の構造について説明する。掛け金具９はスピーカマイク１背面部に吊り金具通し穴９ａを開口した板金とそれと一体となってスピーカマイク１上面部で回転できる回転板で構成されており、ネジ１０，１１を其々ネジ通し穴１２ａ，１２ｂを通した後、スピーカマイク後部１ｂのネジ穴１ｃ，１ｄに挿入して台座１２を固定し、ネジ１４をネジ通し穴１２ｃを通した後、ネジ穴１３ａに挿入して軸１３を固定し、軸１３に順にバネ１５と掛け金具９の軸通し穴９ｆ部を挿入し、その上からネジ１７を押え板１６のネジ通し穴１６ｃを通して軸１３のネジ穴１３ｂに挿入することにより押さえ板１６を軸１３に固定し、スピーカマイク前部１ａをスピーカマイク後部１ｂにネジ止め等の既存技術を用いて固定する。
【００２３】
図６において、１８０度毎の回転（移動）について説明する。
図６（ａ）状態１は、掛け金具が丁度スピーカマイクの背面側に位置している状態であり、掛け金具９はバネ１５により押え板１６に押し付けられ、押え板１６の窪み１６ａ，１６ｂに其々掛け金具の突起９ｄ，９ｅが嵌まり込んだ状態となっている。この状態から掛け金具を回転させた場合、窪み１６ａ，１６ｂや突起９ｄ，９ｅがドーム形状である為、突起が窪みから外れる際に窪みと突起の接触部で回転力が押し下げ力に変わる為、徐々にバネが縮んで掛け金具９が押し下げられる。但し押し下げ力がバネ１５の反力より小さいような回転力では掛け金具は回転できない為、容易に回転できない半ロック状態となっている。
【００２４】
図６（ｂ）状態２は、掛け金具９の１８０度回転毎のロックが解除され、掛け金具９が自由に回転できる状態を示す図である。この状態では突起９ｄ，９ｅは窪み１６ａ，１６ｂから完全に外れ、掛け金具９は押し下げられた状態となっている。さらに回転し、元の位置から丁度１８０度の位置まで回転させた場合、突起９ｄ，９ｅは其々窪み１６ｂ，１６ａに嵌まり込み、再び半ロック状態となる。
【００２５】
このように構成し、スピーカマイクを掛ける際に常に壁側に掛け金具９の掛かり面を配置することによってスピーカマイク１と吊り金具６とを接触しないようにしたので、スピーカマイクの前後の何れを前にしても同じ位置に掛けることができ、かつスピーカマイクの傷を防止できる。
【００２６】
実施の形態３．
以下、実施の形態３に係る筐体吊り下げ構造を図を用いて説明する。  図７において、スピーカマイク１は表側に表示部２と操作部３を、裏側にスピーカ４を、上面にマイク５を備えている。吊り金具６は壁に取り付ける為の基面部６ａと基面部６ａより突き出したピン部２０ａとから構成され、ピン部２０ａには切り込み部６ｅと迫り出し部６ｄを有し、ネジ７，８により壁面に固定される。
【００２７】
掛け金具９はスピーカマイク１の上部より垂直に突き出た板金であり、かつスピーカマイク１の表裏を入れ替えても位置が変わらないようにほぼ中央に配置されている。
図８において、掛け金具９は上穴を小さく上穴に接触して下穴を大きく開口した吊り金具通し穴９ａを有し、ネジ１０，１１を其々ネジ通し穴９ｂ，９ｃを通した後、スピーカマイク後部１ｂのネジ穴１ｃ，１ｄに挿入して掛け金具９をスピーカマイク後部１ｂに固定し、スピーカマイク前部１ａをスピーカマイク後部１ｂにネジ止め等の既存技術を用いて固定する。
【００２８】
図９において、吊り金具６の構造について説明する。
吊り金具６は壁に取り付ける為の基面部６ａと基面部６ａより突き出したピン部とから構成され、基面部６ａに壁面への固定用のネジ通し穴６ｂ，６ｃが開口されている。また基面部から掛かり位置までの距離ｄ１はスピーカマイクの厚みの半分相当の距離とし、掛かり位置付近を端面にして前側に切り込み部（吊り下げ部）６ｅ、後側に迫り出し部６ｄを、切り込み部６ｅの前側に先端程細くしたピン先端部６ｆ（移動規制部）を備えている。
【００２９】
図１０において、掛け金具９の構造について説明する。
スピーカマイク１上面に垂直でかつ前後方向でほぼ中央に固定された板に、上穴を小さく上穴に接触して下穴を大きく開口した吊り金具通し穴（挿入用開口）９ａを有し、吊り金具通し穴９ａの上穴は吊り金具の切り込み部６ｅに勘合し、掛け金具厚さｄ７が吊り金具６の掛かりしろｄ４より若干薄く、掛かり穴巾ｄ８は吊り金具６の掛かりピン巾ｄ６より若干大きくなっている。
【００３０】
吊り金具通し穴９ａの下穴は吊り金具のピン先端部６ｆが通るように、下穴開口径ｄ９は吊り金具６のピン径ｄ２より若干大きくなっており、吊り金具６の迫り出し部６ｄは通らないよう、下穴開口径ｄ９は吊り金具６の迫り出し部の径ｄ３より小さくなっている。
【００３１】
下穴下端部高さｄ１０は吊り金具６の下端部迫り出し量ｄ５よりも大きくなっており、このため迫り出し部６ｄがスピーカマイク１に接触することが無い。
【００３２】
ここで、吊り金具６のピン先端部６ｆ，迫り出し部６ｅ，掛け金具９の下穴は、円形で無くても良く、またピン先端部６ｆは先端程細くなっていなくても良い。
【００３３】
このように構成し、掛け金具９をほぼ中央に配置し、スピーカマイクを掛ける際にスピーカマイクの掛け金具９を吊り金具６の切り込み部６ｅに勘合させるとともにスピーカマイクを吊り金具に接触しないようにしたので、スピーカマイク１の表裏の何れを前にしても同じ位置に掛けることができ、かつスピーカマイクの傷を防止でき、さらにスピーカマイクが前後左右の拘束により車内での設置でもスピーカマイクを揺れない状態にできる。
【産業上の利用可能性】
【００３４】
この発明の適用例として通信用スピーカマイクや手持ち操作用端末機器などに利用できる。
【図面の簡単な説明】
【００３５】
【図１】この発明の実施の形態１によるスピーカマイクを示す斜視図である。
【図２】この発明の実施の形態１によるスピーカマイクを示す分解斜視図である。
【図３】この発明の実施の形態１によるスピーカマイクの吊り金具と掛け金具の状態を示す断面図である。
【図４】この発明の実施の形態２によるスピーカマイクを示す斜視図である。
【図５】この発明の実施の形態２によるスピーカマイクを示す分解斜視図である。
【図６】この発明の実施の形態２によるスピーカマイクの掛け金具の状態を示す断面図である。
【図７】この発明の実施の形態３によるスピーカマイクを示す斜視図である。
【図８】この発明の実施の形態３によるスピーカマイクを示す分解斜視図である。
【図９】この発明の実施の形態３によるスピーカマイクの吊り金具を示す図である。
【図１０】この発明の実施の形態３によるスピーカマイクの掛け金具を示す図で
【符号の説明】
【００３６】
１．スピーカマイク    １ａ．スピーカマイク前部    １ｂ．スピーカマイク後部
１ｃ，１ｄ．ネジ穴    ２．表示部            ３．操作部４．スピーカ        
５．マイク        ６．吊り金具            ６ａ．基面部６ｂ，６ｃ．ネジ通し穴
６ｄ．迫り出し部      ６ｅ．切り込み部        ６ｆ．ピン先端部            ７，８．ネジ        
９．掛け金具        ９ａ．吊り金具通し穴            ９ｂ，９ｃ．ネジ通し穴
９ｄ，９ｅ．突起      ９ｆ．軸通し穴          １０，１１．ネジ            １２．台座
１２ａ，１２ｂ，１２ｃ．ネジ通し穴            １３．軸１３ａ，１３ｂ．ネジ穴
１４．ネジ        １５．バネ              １６．押え板１６ａ，１６ｂ．窪み
１６ｃ．ネジ通し穴    １７．ネジ
ｄ１．基面部からの掛かり位置までの距離        
ｄ２．ピン径        ｄ３．迫り出し部の径        ｄ４．掛かりしろ          
ｄ５．下端部迫り出し量    ｄ６．掛かりピン巾      ｄ７．掛け金具厚さ        
ｄ８．掛かり穴巾      ｄ９．下穴開口径    ｄ１０．下穴下端部高さ
【図１】
2006066780.tif 000003
【図２】
2006066780.tif 000004
【図３】
2006066780.tif 000005
【図４】
2006066780.tif 000006
【図５】
2006066780.tif 000007
【図６】
2006066780.tif 000008
【図７】
2006066780.tif 000009
【図８】
2006066780.tif 000010
【図９】
2006066780.tif 000011
【図１０】
2006066780.tif 000012